(57)【要約】【課題】施設内の複数の機器を管理する際、機器の種別およびメーカ間の違いを意識してそれらの機器を管理しなければならなかった。【解決手段】機器情報保持部２０は、機器を管理するための機器情報を保持する。処理部１０は、機器情報保持部２０に保持される機器情報を参照して、所定の処理を実行する。機器情報は、一つの機器、または共通に制御される複数の機器を含む機器グループごとに生成され、各機器情報は、複数の項目とそれら項目に対応するデータを保持し、各機器情報には第１識別子が割り当てられ、各項目には第２識別子が割り当てられる。【選択図】図２
2010020358.tif 000002
【特許請求の範囲】
【請求項１】
施設内の複数の機器を管理する機器管理装置であって、
前記機器を管理するための機器情報を保持する機器情報保持部と、
前記機器情報保持部に保持される機器情報を参照して、所定の処理を実行する処理部と、を備え、
前記機器情報は、一つの機器、または共通に制御される複数の機器を含む機器グループごとに生成され、各機器情報は、複数の項目とそれら項目に対応するデータを保持し、各機器情報には第１識別子が割り当てられ、各項目には第２識別子が割り当てられ、
前記処理部は、前記第１識別子および前記第２識別子を指定することにより、特定の機器情報の、特定の項目に対応するデータを一意に参照可能なことを特徴とする機器管理装置。
【請求項２】
前記機器または前記機器グループごとに生成される機器情報の集合である機器情報グループが、前記複数の機器に対する管理内容の種別ごとに生成されることを特徴とする請求項１に記載の機器管理装置。
【請求項３】
第１の機器情報グループは、前記複数の機器から取得された、少なくとも温度を含む計測データを管理し、第２の機器情報グループは、前記複数の機器に対する霜取制御の設定データを管理し、
前記処理部は、前記第２の機器情報グループにより管理される、霜取制御すべき機器または機器グループの計測データを、第１の機器情報グループに含まれるその機器または機器グループの機器情報の該当項目から取得し、その計測データを参照して、前記機器または前記機器グループの、設定温度または運転モードを変更することを特徴とする請求項２に記載の機器管理装置。
【請求項４】
前記機器情報間で、同一項目に対応するデータの形式を統一するための補正情報を保持する補正情報保持部をさらに備え、
前記処理部は、前記補正情報保持部に保持される補正情報を参照して特定の項目に対応するデータの形式を変換することを特徴とする請求項１から３のいずれかに記載の機器管理装置。
【請求項５】
前記補正情報保持部は、同一項目に対応するデータの単位を統一するための補正情報を保持し、
前記処理部は、前記補正情報保持部に保持される補正情報を参照して特定の項目に対応するデータの単位を変換することを特徴とする請求項４に記載の機器管理装置。
【発明の詳細な説明】
【技術分野】
【０００１】
本発明は、施設内に設置された複数の機器を管理する機器管理装置に関する。
【背景技術】
【０００２】
イベント会場、大型スーパー、ショッピングモールなど、大規模施設内には多種多様な機器が設置される。たとえば、ショーケース、冷凍機、空調機などが設置される。このような施設には、複数の機器を連携して制御可能な機器管理システムが構築されることが一般的である。
【０００３】
特許文献１は、機器設定装置を開示する。この装置は、通信インタフェースを介して接続された機器の設定処理や機器からの情報取得処理を行う。
【特許文献１】特開２００７−１５７１２８号公報
【発明の開示】
【発明が解決しようとする課題】
【０００４】
上述したように大規模施設内には多種多様な機器が設置される。同じ種別の機器でも異なるメーカのものが設置されることもある。たとえば、店舗を増設するごとに、異なるメーカのショーケースが設置される場合などである。このように、機器管理システムのユーザは、機器の種別およびメーカ間の違いを意識してそれらの機器を管理しなければならなかった。すなわち、機器の設定変更や機器からデータを取得する場合、その機器に対応する仕様でそれらをしなければならなかった。
【０００５】
本発明はこうした状況に鑑みなされたものであり、その目的は、施設内の複数の機器を統合的に管理することができる機器管理装置を提供することにある。
【課題を解決するための手段】
【０００６】
本発明のある態様の機器管理装置は、施設内の複数の機器を管理する機器管理装置であって、機器を管理するための機器情報を保持する機器情報保持部と、機器情報保持部に保持される機器情報を参照して、所定の処理を実行する処理部と、を備える。機器情報は、一つの機器、または共通に制御される複数の機器を含む機器グループごとに生成され、各機器情報は、複数の項目とそれら項目に対応するデータを保持し、各機器情報には第１識別子が割り当てられ、各項目には第２識別子が割り当てられ、処理部は、第１識別子および第２識別子を指定することにより、特定の機器情報の、特定の項目に対応するデータを一意に参照可能である。
【０００７】
なお、以上の構成要素の任意の組み合わせ、本発明の表現を方法、装置、システム、記録媒体、コンピュータプログラムなどの間で変換したものもまた、本発明の態様として有効である。
【発明の効果】
【０００８】
本発明によれば、施設内の複数の機器を統合的に管理することができる。
【発明を実施するための最良の形態】
【０００９】
図１は、本発明の実施の形態に係る機器管理システム７００の構成を示す図である。機器管理システム７００は機器管理装置３００、複数の機器４００〜４０ｎ（ｎは自然数）、および外部管理装置６００を備える。機器管理装置３００および複数の機器４００〜４０ｎは、同一の施設３１０内に設置される。機器管理装置３００は施設３１０内の管理部門に設置され、複数の機器４００〜４０ｎを管理する。機器管理装置３００は少なくとも一台のサーバまたはＰＣにより構築される。
【００１０】
複数の機器４００〜４０ｎは、ショーケース装置、冷凍機、空調機などが該当する。同じ種別の機器でも、同じメーカの同じ機種で統一されていなく、異なるメーカの機器が混じっていたり、同じメーカでも複数の機種が混じっていることもある。複数の機器４００〜４０ｎは、施設３１０内に構築されたＬＡＮを介して機器管理装置３００に接続される。なお、図１ではバス型のＬＡＮを描いているが、接続トポロジは任意でありバス型に限らず、スター型やリング型でもよい。複数の機器４００〜４０ｎには、温度センサなどの各種センサ、温度調節器などの各種調節器、マイクロコンピュータなどが適宜、搭載される。
【００１１】
外部管理装置６００は管理センター６１０に設置され、少なくとも一台のサーバまたはＰＣにより構築される。外部管理装置６００はインターネットなどのネットワーク５００を介して機器管理装置３００と接続される。たとえば、外部管理装置６００は複数の店舗を運営する本部に設置され、店舗ごとに設置される複数の機器管理装置３００を統合的に管理する。すなわち、外部管理装置６００は機器管理装置３００を通じて、複数の機器４００〜４０ｎを遠隔制御したり、複数の機器４００〜４０ｎの設定データや計測データなどを取得することができる。
【００１２】
図２は、実施の形態に係る機器管理装置３００の構成を示す図である。機器管理装置３００は、処理部１０、機器情報保持部２０、補正情報保持部３０、外部通信部４０、機器通信部５０および操作部６０を有する。
【００１３】
機器管理装置３００の構成は、ハードウェア的には、任意のプロセッサ、メモリ、その他のＬＳＩで実現でき、ソフトウェア的にはメモリにロードされたプログラムなどによって実現されるが、ここではそれらの連携によって実現される機能ブロックを描いている。したがって、これらの機能ブロックがハードウェアのみ、ソフトウェアのみ、またはそれらの組み合わせによっていろいろな形で実現できることは、当業者には理解されるところである。
【００１４】
処理部１０は、機器管理装置３００全体を制御する。機器情報保持部２０は、機器を管理するための機器情報を保持する。機器情報の詳細は後述する。補正情報保持部３０は、当該機器情報間で、同一項目に対応するデータの形式を統一するための補正情報を保持する。補正情報の詳細も後述する。
【００１５】
外部通信部４０は、外部管理装置６００から制御信号を受信する。この制御信号として、複数の機器４００〜４０ｎに対する制御命令、上記機器情報内の特定のデータの取得要求などが挙げられる。また、外部通信部４０は、外部管理装置６００に上記制御信号に対する応答信号を送信する。この応答信号は、複数の機器４００〜４０ｎに対する制御の完了通知または上記機器情報内の特定のデータ、後述するファイルナンバー＆アドレスマップ情報などが該当する。機器通信部５０は、複数の機器４００〜４０ｎが保有する設定データや計測データを取得し、機器情報保持部２０に格納する。また、機器通信部５０は、外部管理装置６００や操作部６０から受けた制御命令を、該当する機器に伝達する。
【００１６】
操作部６０は、図示しない入力部および表示部を備え、当該入力部からユーザの指示を受け付けて処理部１０に伝達する。また、当該表示部に所定の情報を表示する。たとえば、機器情報内の特定のデータを表示する。
【００１７】
上記機器情報は、一つの機器、または共通に制御される複数の機器を含む機器グループごとに生成される。機器情報グループは、一つの機器または一つの機器グループごとに生成される機器情報の集合である。機器情報グループは、複数の機器４００〜４０ｎに対する管理内容の種別ごとに生成される。たとえば、機器情報グループは、霜取制御、省エネルギー制御、計測データの取得などの管理内容の種別ごとに生成される。なお、機器情報グループを構成する機器情報の単位または構成機器は、管理内容の種別ごとに異なってもよい。たとえば、霜取制御に関する機器情報グループは機器グループごとに生成される機器情報により構成され、計測データの取得に関する機器情報グループは機器ごとに生成される機器情報により構成されてもよい。また、各機器情報グループは、その管理内容の対象とすべき機器の機器情報を含めばよく、必ずしもすべての機器の機器情報を含む必要はない。
【００１８】
各機器情報は、複数の項目とそれら項目に対応するデータを保持する。複数の項目は、同じ機器情報グループを構成する、機器または機器グループの機器情報間で共通である。別の機器情報グループを構成する機器情報間では共通しない。複数の項目は機器情報グループごとにあらかじめ設計者により定義される。
【００１９】
上述した、それら項目に対応するデータは、機器通信部５０を介して複数の機器から取得されたものであってもよいし、外部通信部４０を介して外部管理装置６００から取得されたものであってもよいし、ユーザ操作に起因して操作部６０から取得されたものであってもよい。また、処理部１０により実行される制御モジュールにより更新されてもよい。たとえば、項目が温度の場合、当該機器内の図示しない温度センサにより検出された温度がデータとして取得される。また、項目が温度の測定時刻の場合、外部通信部４０を介して外部管理装置６００から指示されるか、ユーザ操作に起因して操作部６０から指定される。
【００２０】
各機器情報には第１識別子が割り当てられる。たとえば、各機器情報を一意に特定するために各機器情報にシーケンシャルな番号が割り当てられてもよい。また、各項目には第２識別子が割り当てられる。たとえば、各項目を一意に特定するために各項目にシーケンシャルな番号が割り当てられてもよい。第１識別子および第２識別子の一方は、ある機器情報グループ内で一意に特定されるように割り当てられればよく、別の機器情報グループ内の機器情報またはその項目に割り当てられる識別子と同じ識別子が割り当てられてもよい。第１識別子および第２識別子のいずれか一方がグローバルに特定されていれば、他方はローカルに特定されているだけで、特定の機器情報の、特定の項目を一意に特定することができる。
【００２１】
処理部１０は、機器情報保持部２０に保持される機器情報を参照して、所定の処理を実行する。処理部１０は、第１識別子および第２識別子を指定することにより、特定の機器情報の、特定の項目に対応するデータを一意に特定して、そのデータを参照することができる。
【００２２】
ここで、複数の機器情報グループにつぎの二つが含まれることを想定する。第１の機器情報グループは、計測データの取得に関する機器情報により構成され、複数の機器から取得された、少なくとも温度を含む計測データを管理する。第２の機器情報グループは、霜取制御に関する機器情報により構成され、複数の機器に対する霜取制御の設定データを管理する。
【００２３】
この場合、処理部１０は第２の機器情報グループにより管理される、霜取制御すべき機器または機器グループの計測データを、第１の機器情報グループに含まれるその機器または機器グループの機器情報の該当項目から取得し、その計測データを参照して、当該機器または当該機器グループの、設定温度または運転モードを変更する。この処理の詳細は後述する。
【００２４】
また、処理部１０は補正情報保持部３０に保持される補正情報を参照して特定の項目に対応するデータの形式を変換することができる。補正情報保持部３０は、同じ機器情報グループの機器情報間で、同一項目に対応するデータの形式を統一するための補正情報として、たとえば、データの単位を統一するための補正情報を保持する。この場合、処理部１０はその補正情報を参照して特定の項目に対応するデータの単位を変換することができる。たとえば、華氏温度を摂氏温度に変換することができる。
【００２５】
なお、機器情報保持部２０は機器情報内のデータとして、取得されたデータそのものを保持してもよいし、取得されたデータの形式が補正された後のデータを保持してもよい。前者の場合、処理部１０は外部管理装置６００からの指示や、ユーザ操作に起因する操作部６０からの指示にもとづき、機器情報保持部２０に保持される機器情報内の特定のデータを出力する際、補正情報保持部３０に保持される補正情報を参照してそのデータの形式を補正した後、その補正後のデータを出力する。もちろん、特定のデータが標準形式である場合、補正する必要はなく、そのまま出力する。後者の場合、処理部１０は取得されたデータが標準形式でない場合、補正情報保持部３０に保持される補正情報を参照してそのデータの形式を補正した後、機器情報内のデータとして記録する。
【００２６】
以下、機器情報の具体例を説明する。
図３は、実施の形態に係る施設３１０内における、複数の機器の配置例を示す図である。ここでは説明を単純化するために、４つのショーケース、すなわちショーケース１（ＩＤ：０１）、ショーケース２（ＩＤ：０２）、ショーケース３（ＩＤ：０３）およびショーケース４（ＩＤ：０４）が配置されることを想定する。
【００２７】
図４（ａ）は、実施の形態に係る、霜取制御に関する機器情報のデータ構造を示す図である。図４（ｂ）は、実施の形態に係る、霜取制御に関する機器情報の具体例を示す図である。以下の例では、上記第１識別子をファイルナンバー、上記第２識別子をアドレスと表記する。
【００２８】
図４（ａ）に示す霜取制御に関する機器情報は、機器グループごとにシーケンシャルなファイルナンバーが割り当てられる。各機器情報は、項目として、グループ番号、開始時刻、周期間隔、対応機器数、機器ＩＤ、・・・を持つ。各項目にはシーケンシャルなアドレスが割り当てられる。各機器情報は、各項目に対応するデータをシステム内変数として保持する。
【００２９】
図４（ｂ）に示す霜取制御に関する機器情報の例は、図３に示す機器の配置例に対応する。ファイルナンバー１０１が割り当てられた機器情報は、グループ番号１の機器グループに対応する。この機器グループには、一つのショーケース１（ＩＤ：０１）が含まれる。霜取制御の開始時刻は９：００、霜取制御の周期間隔は６０分である。ファイルナンバー１０２が割り当てられた機器情報は、グループ番号２の機器グループに対応する。この機器グループには、二つのショーケース２（ＩＤ：０２）、ショーケース３（ＩＤ：０３）が含まれる。霜取制御の開始時刻は８：３０、霜取制御の周期間隔は３０分である。二つのショーケース２（ＩＤ：０２）、ショーケース３（ＩＤ：０３）は、隣接する位置に配置されており、霜取制御は共通に実施される。ファイルナンバー１０３が割り当てられた機器情報は、グループ番号３の機器グループに対応する。この機器グループには、一つのショーケース４（ＩＤ：０４）が含まれる。霜取制御の開始時刻は１０：００、霜取制御の周期間隔は１２０分である。
【００３０】
図５（ａ）は、実施の形態に係る、計測データの取得に関する機器情報のデータ構造を示す図である。図５（ｂ）は、実施の形態に係る、計測データの取得に関する機器情報の具体例を示す図である。図５（ａ）に示す計測データの取得に関する機器情報は、機器ごとにシーケンシャルなファイルナンバーが割り当てられる。ここでは、温度などの測定は機器ごとに実施されるため、機器ごとに機器情報が生成される。各機器情報は、項目として、機器ＩＤ、名称、計測時刻、温度、圧力、運転モード、設定温度、・・・を持つ。各項目にはシーケンシャルなアドレスが割り当てられる。各機器情報は、各項目に対応するデータをシステム内変数として保持する。
【００３１】
図５（ｂ）に示す計測データの取得に関する機器情報の例は、図３に示す機器の配置例に対応する。ファイルナンバー２０１が割り当てられた機器情報は、ショーケース１（ＩＤ：０１）に対応する。計測時刻、運転モードおよび設定温度は、外部管理装置６００からの指示や、ユーザ操作に起因する操作部６０からの指示や、処理部１０により実行される制御モジュールからの指示により随時更新される。温度および圧力は、ショーケース１から取得され、随時更新される。ファイルナンバー２０２が割り当てられた機器情報は、ショーケース２（ＩＤ：０２）に対応する。ファイルナンバー２０３が割り当てられた機器情報は、ショーケース３（ＩＤ：０３）に対応する。ファイルナンバー２０４が割り当てられた機器情報は、ショーケース４（ＩＤ：０４）に対応する。これらの機器情報の、計測時刻、温度、圧力、運転モード、設定温度も、ファイルナンバー２０１が割り当てられた機器情報と同様に随時更新される。
【００３２】
図６（ａ）は、実施の形態に係る温度用補正情報（単位）の一例を示す図である。図６（ｂ）は、実施の形態に係る温度用補正情報（桁数）の一例を示す図である。図６（ｃ）は、実施の形態に係る名称用補正情報の一例を示す図である。図６（ｄ）は、実施の形態に係る、補正パターン／変換式の変換テーブルの一例を示す図である。これらの例は、図３に示す機器の配置例に対応する。
【００３３】
図６（ａ）に示す温度用補正情報（単位）は、図５（ａ）に示した計測データの取得に関する機器情報内の、温度データの単位を統一するための補正情報である。ここでは摂氏温度に統一する。ショーケース１（ＩＤ：０１）およびショーケース３（ＩＤ：０３）が華氏温度を機器管理装置３００に伝達し、ショーケース２（ＩＤ：０２）およびショーケース４（ＩＤ：０４）が摂氏温度を伝達する。この場合、処理部１０はショーケース１（ＩＤ：０１）およびショーケース３（ＩＤ：０３）から伝達された華氏温度を、補正パターンＰ００１を参照して摂氏温度に変換する。補正パターンＰ００１は華氏温度を摂氏温度に変換するための変換式である。
【００３４】
図６（ｂ）に示す温度用補正情報（桁数）は、図５（ａ）に示した計測データの取得に関する機器情報内の、温度データの桁数を統一するための補正情報である。ここでは温度データの桁数を１バイト（８ビット）に統一する。ショーケース１（ＩＤ：０１）およびショーケース４（ＩＤ：０４）は温度データを４バイトで機器管理装置３００に伝達し、ショーケース２（ＩＤ：０２）は２バイトで伝達し、ショーケース３（ＩＤ：０３）は１バイトで伝達する。
【００３５】
この場合、処理部１０はショーケース１（ＩＤ：０１）およびショーケース４（ＩＤ：０４）から伝達された温度データの桁数を、補正パターンＰ００２を参照して、４バイトから１バイトに変換する。処理部１０はショーケース２（ＩＤ：０２）から伝達された温度データの桁数を、補正パターンＰ００３を参照して２バイトから１バイトに変換する。補正パターンＰ００２は４バイトデータを１バイトデータに変換するための変換式である。たとえば、その変換式は下位３バイトを破棄する。その際、四捨五入してもよいし切り捨ててもよい。補正パターンＰ００３は２バイトデータを１バイトデータに変換するための変換式である。
【００３６】
図６（ｃ）に示す名称用補正情報は、図５（ａ）に示した計測データの取得に関する機器情報内の、名称の表記方法を統一するための補正情報である。ここではローマ字表記に統一する。ショーケース１（ＩＤ：０１）の名称は漢字表記で機器管理装置３００に与えられ、ショーケース２（ＩＤ：０２）およびショーケース４（ＩＤ：０４）の名称はカタカナ表記で与えられ、ショーケース３（ＩＤ：０３）の名称はローマ字表記で与えられる。
【００３７】
この場合、処理部１０はショーケース１（ＩＤ：０１）の名称を補正パターンＰ００５を参照して、漢字表記からローマ字表記に変換する。処理部１０はショーケース２（ＩＤ：０２）およびショーケース４（ＩＤ：０４）の名称を補正パターンＰ００４を参照して、カタカナ表記からローマ字表記に変換する。補正パターンＰ００４はカタカナ表記をローマ字表記に変換するための変換式である。補正パターンＰ００５は漢字表記をローマ字表記に変換するための変換式である。
【００３８】
図６（ｄ）に示す補正パターン／変換式の変換テーブルは、各補正パターンと、対応する各変換式を一括して管理する。なお、補正パターン／変換式の変換テーブルを設ける代わりに、各補正情報内の補正パターンに具体的な変換式を記述しておいてもよい。ただ、同じ変換式が複数箇所で使用される場合、補正パターン／変換式の変換テーブルで一括管理したほうが記憶領域の使用を節約することができる。
【００３９】
図７は、実施の形態に係る外部管理装置６００のデータ取得要求処理を示すフローチャートである。まず、外部管理装置６００は機器管理装置３００からネットワーク５００を介してファイルナンバー＆アドレスマップ情報（以下、単にマップ情報と表記する）を受信する（Ｓ１０）。このマップ情報は、機器情報グループ単位で生成される機器情報の、ファイルナンバー、アドレス、および項目のマップ情報である。各項目に対応するデータは含まれない。
【００４０】
外部管理装置６００のユーザが、機器管理装置３００に管理される機器情報内の、所望のデータを特定すべく、ファイルナンバーおよびアドレスを入力または選択すると、外部管理装置６００はそのファイルナンバーおよびアドレスを含むデータ取得要求を生成する（Ｓ１２）。なお、当該ファイルナンバーおよびアドレスは、ユーザ操作に起因して指定されるのではなく、外部管理装置６００内で実行されるプログラムにより指定されてもよい。
【００４１】
外部管理装置６００は、そのデータ取得要求をネットワーク５００を介して機器管理装置３００に送信する（Ｓ１４）。その後、外部管理装置６００は、そのデータ取得要求により特定された項目に対応する現在のデータを機器管理装置３００から取得する（Ｓ１６）。
【００４２】
図８は、実施の形態に係る機器管理装置３００のデータ取得要求に対する応答処理を示すフローチャートである。まず、機器管理装置３００はネットワーク５００を介してマップ情報を外部管理装置６００に送信する（Ｓ２０）。このマップ情報は、機器情報が生成されるごとに機器管理装置３００から送信されてもよいし、一定期間ごとに変更部分が送信されてもよい。
【００４３】
機器管理装置３００は、ファイルナンバーおよびアドレスが指定されたデータ取得要求をネットワーク５００を介して外部管理装置６００から受信する（Ｓ２２）。機器管理装置３００内の処理部１０は、そのデータ取得要求からファイルナンバーおよびアドレスを抽出する（Ｓ２４）。処理部１０は、そのファイルナンバーおよびアドレスの項目に対応するデータを機器情報保持部２０内の特定の機器情報から抽出する（Ｓ２６）。外部通信部４０は、抽出されたデータを外部管理装置６００に送信する（Ｓ２８）。
【００４４】
なお、ここでは外部管理装置６００からデータ取得要求があった場合の例を説明したが、ユーザ操作に起因して操作部６０からデータ取得要求があった場合、処理部１０により実行される制御モジュールからデータ取得要求があった場合も同様である。ファイルナンバーおよびアドレスが指定されることにより、所望のデータが取得される。
【００４５】
図９は、実施の形態に係る機器管理装置３００の計測データの取得処理を示すフローチャートである。処理部１０は、各機器から計測データを取得する（Ｓ３０）。図５（ｂ）に示した例を前提とすると、ファイルナンバー２０１〜２０４の機器情報で管理される、機器ＩＤ０１〜０４に係る機器から温度データおよび圧力データを取得する。処理部１０は、各機器から定期的に一括して取得してもよいし、機器ごとに個別に取得してもよい。後者の場合、各機器情報内に設定されている計測時刻の直後に取得してもよい。
【００４６】
処理部１０は、各機器から取得した計測データを各機器情報に反映させるべく、各機器情報を更新する（Ｓ３２）。なお、機器情報内の温度および圧力の項目に対応するデータは、新たに更新されるまで前回更新されたデータが保持されてもよいし、データの鮮度を保つため、一定期間が過ぎた場合、破棄されてもよい。この場合、新たに更新されるまで、ゼロなどの初期値が保持される。
【００４７】
処理部１０は、特定の機器情報内の、特定の項目に変更要求があった場合（Ｓ３４のＹ）、その項目に対応するデータを変更する（Ｓ３６）。この変更要求は、外部管理装置６００からの指示や、ユーザ操作に起因する操作部６０からの指示や、処理部１０により実行される制御モジュールからの指示に基づく。その際、ファイルナンバーおよびアドレスが指定される。
【００４８】
図１０は、実施の形態に係る機器管理装置３００の霜取制御処理を示すフローチャートである。処理部１０は、霜取制御に関する各機器情報から開始時刻および周期間隔を取得する（Ｓ４０）。図４（ｂ）に示した例を前提とすると、ファイルナンバー１０１〜１０３の機器情報から開始時刻および周期間隔を取得する。
【００４９】
処理部１０は、取得した開始時刻および周期間隔をもとに、グループごとに霜取制御すべき時刻を算出する。処理部１０は、制御時刻が到来すると（Ｓ４２のＹ）、時刻が到来したグループに属する機器の計測データを取得する（Ｓ４４）。たとえば、グループ番号２のグループの制御時刻が到来すると、そのグループに属する機器ＩＤ０２、０３が割り当てられた機器の計測データを取得する。ここでは、ファイルナンバー２０２、２０３の温度データおよび圧力データの少なくとも一方を取得する。
【００５０】
処理部１０は、取得した計測データに基づいて最適な設定温度を算出する（Ｓ４６）。最適な設定温度を算出するためのアルゴリズムは、一般的なものを採用することができる。たとえば、所定の目標温度に対して計測された温度が高い場合、設定温度を低く算出し、その逆の場合、設定温度を高く算出する演算式を使用する。具体的な係数やオフセット値などは、設計者が適宜、設定可能である。
【００５１】
処理部１０は、該当機器の設定温度を、算出した設定温度に変更する（Ｓ４８）。それとともに、処理部１０は、該当機器情報の設定温度の項目に対応するデータを、算出した設定温度のデータに変更する（Ｓ４９）。ここではファイルナンバー２０２、２０３の設定温度の項目に対応するデータを変更する。
【００５２】
なお、ここでは設定温度を算出対象としたが、動作モードを算出対象としてもよい。動作モードは、設定温度、設定圧力、設定湿度など、複数の設定値を一括に制御するためのものである。複数の動作モードが設定され、各動作モードごとに複数の設定値があらかじめ定義される。これらの設定値は、設計者による実験やシミュレーションにより求められる。処理部１０は、温度、圧力などの計測データを基礎データとして動作モードを決定することができる。
【００５３】
以上説明したように本実施の形態によれば、機器情報にファイルナンバーおよびアドレスを割り当てることにより、施設内の複数の機器を統合的に管理することができる。すなわち、アドレスの上位概念としてファイルナンバーを設けることにより、体系的なデータ構造を構築することができる。ファイルナンバーおよびアドレスを指定することにより、所望のデータを一意に特定することができる。したがって、施設内統合システムで管理される複数の機器の、種類の違いを意識することなく、統一された形式でデータの取得や変更を行うことができる。ユーザおよびシステムにとって、分かりやすく、扱いやすいデータ構造であるといえる。
【００５４】
また、従来の施設内統合システムは、日本国内での使用を前提としていたため、機器ごとの連携制御については各システムで独自のプロトコルが使用されることが多かった。しかしながら、海外での使用や柔軟な導入を実現するためには多様な機器を連携するための標準プロトコル、たとえばＭｏｄｂｕｓプロトコルに対応する必要がある。本実施の形態によれば、標準プロトコルへの対応も容易である。
【００５５】
また、施設内統合システムに新規に機器を追加した場合、機器管理装置３００がその機器に管理内容の種別ごとにファイルナンバーおよびアドレスを割り当てることにより、その機器に関するデータに対するアクセス方法を定義することができる。ユーザに特別な操作を要求する必要がない。
【００５６】
また、機器管理装置３００が同一項目に対応するデータの、単位などの形式の差異を所定の補正情報を参照して補正することにより、その差異を機器管理装置３００内で吸収することができる。よって、外部管理装置６００やユーザ端末など外部装置での、単位変換などの補正処理が不要となる。
【００５７】
以上、本発明をいくつかの実施の形態をもとに説明した。これらの実施の形態は例示であり、それらの各構成要素や各処理プロセスの組合せにいろいろな変形例が可能なこと、またそうした変形例も本発明の範囲にあることは当業者に理解されるところである。
【００５８】
たとえば、実施の形態では一つの店舗内の機器を統合的に管理する例を説明したが、複数の店舗が存在するショッピングモールなどにも本発明は適用可能である。店舗同士が距離的に離れていても、それら店舗内の機器が一つの機器管理装置３００で管理される場合、適用可能である。
【図面の簡単な説明】
【００５９】
【図１】本発明の実施の形態に係る機器管理システムの構成を示す図である。
【図２】実施の形態に係る機器管理装置の構成を示す図である。
【図３】実施の形態に係る、施設内における複数の機器の配置例を示す図である。
【図４】図４（ａ）は、実施の形態に係る、霜取制御に関する機器情報のデータ構造を示す図である。図４（ｂ）は、実施の形態に係る、霜取制御に関する機器情報の具体例を示す図である。
【図５】図５（ａ）は、実施の形態に係る、計測データの取得に関する機器情報のデータ構造を示す図である。図５（ｂ）は、実施の形態に係る、計測データの取得に関する機器情報の具体例を示す図である。
【図６】図６（ａ）は、実施の形態に係る温度用補正情報（単位）の一例を示す図である。図６（ｂ）は、実施の形態に係る温度用補正情報（桁数）の一例を示す図である。図６（ｃ）は、実施の形態に係る名称用補正情報の一例を示す図である。図６（ｄ）は、実施の形態に係る補正パターン／変換式の変換テーブルの一例を示す図である。
【図７】実施の形態に係る外部管理装置のデータ取得要求処理を示すフローチャートである。
【図８】実施の形態に係る機器管理装置のデータ取得要求に対する応答処理を示すフローチャートである。
【図９】実施の形態に係る機器管理装置の計測データの取得処理を示すフローチャートである。
【図１０】実施の形態に係る機器管理装置の霜取制御処理を示すフローチャートである。
【符号の説明】
【００６０】
１０  処理部、  ２０  機器情報保持部、  ３０  補正情報保持部、  ４０  外部通信部、  ５０  機器通信部、  ６０  操作部、  ３００  機器管理装置、  ３１０  施設、  ６００  外部管理装置、  ６１０  管理センター、  ５００  ネットワーク、  ７００  機器管理システム。
【図１】
2010020358.tif 000003
【図２】
2010020358.tif 000004
【図３】
2010020358.tif 000005
【図４】
2010020358.tif 000006
【図５】
2010020358.tif 000007
【図６】
2010020358.tif 000008
【図７】
2010020358.tif 000009
【図８】
2010020358.tif 000010
【図９】
2010020358.tif 000011
【図１０】
2010020358.tif 000012